(57)【要約】      （修正有）【課題】ＰＴＰシートに簡易迅速に装着して、子供による薬剤の誤飲を防止するＰТＰシート用多目的スリーブを提供する。【解決手段】多目的スリーブＡ１は、複数の開口部１０を有する表面部１と、複数の取出部２０を有する裏面部２とを備え、全体として、一端にＰＴＰシートの挿入口４を有する扁平のスリーブ状に形成される。裏面部２の各取出部２０は、表面部１の各開口部１０側から押される押圧力に抗する複数の切り込みと止めとからなり、裏面部２で当該複数の切り込みと止めに沿って切り取り可能な破断線２１により取り囲み形成されて、破断部２０として構成される。【選択図】図６
0003231643.tif 000002
【実用新案登録請求の範囲】
【請求項１】
複数の錠剤、カプセル錠を含む複数の薬剤を個別に収容する複数のポケットを有する表側のシートと前記表側のシートの裏面に接着され、前記表側のシートの前記各ポケットを封止する裏側のシートとからなり、複数の薬剤を封入されたＰＴＰシートに装着され、前記ＰТＰシートに封入された複数の薬剤の保管管理、服用管理に多目的に用いるＰТＰシート用多目的スリーブであって、
前記ＰＴＰシートの前記表側のシートを覆い、前記表側のシートの前記各ポケットを挿通可能に複数の開口部を有する表面部と、
前記ＰＴＰシートの前記裏側のシートを覆い、前記表側のシートの前記各ポケットに対応して前記裏側のシートから押し出される薬剤を取り出し可能に複数の取出部を有する裏面部と、
を備え、
全体として、少なくとも一端又は一側に前記ＰＴＰシートの挿入口を有する扁平のスリーブ状に形成され、
前記裏面部の前記各取出部は、前記表面部の前記各開口部側から押される押圧力に抗する複数の切り込みと止めとからなり、前記裏面部で前記複数の切り込みと止めに沿って切り取り可能な破断線により取り囲み形成されて破断部として構成され、
前記ＰＴＰシートは前記挿入口から前記表面部と前記裏面部との間に挿入され、前記ＰＴＰシートの前記各ポケットが前記表面部の前記各開口部から突出されて、前記ＰＴＰシートに装着され、
前記裏面部の前記破断部を切り開くことによって前記表面部側から前記ＰＴＰシートの前記各ポケットを薬剤とともに押し込み可能にした、
ことを特徴とする子どもＰТＰシート用多目的スリーブ。
【請求項２】
破断部の縁部の一部に隣接して当該縁部の一部に少なくとも指先が掛かる程度に切欠部が形成されて、前記破断部は縁部の一部が前記切欠部の切欠縁部により縁部の残部が破断線により取り囲まれる請求項１に記載のＰТＰシート用多目的スリーブ。
【請求項３】
破断部の縁部の一部に隣接して切欠部とともに付加切断部が形成されて、前記破断部の縁部の一部は前記切欠部の切欠縁部及び前記破断部と前記付加切断部との境界にさらに形成される付加切断線からなる請求項２に記載のＰТＰシート用多目的スリーブ。
【請求項４】
破断線は、ＰＴＰシートの各ポケットを押す押圧力に対して、複数の止めの全部又は多くが切断されず残置可能に形成されて、破断部は前記押圧力により全体的に押し開き不能又は困難に構成される請求項１乃至３のいずれかに記載のＰТＰシート用多目的スリーブ。
【請求項５】
破断部に医薬品の服用指導・確認のための記入欄を有する請求項１乃至４のいずれかに記載のＰТＰシート用多目的スリーブ。
【請求項６】
複数の錠剤、カプセル錠を含む複数の薬剤を個別に収容する複数のポケットを有する表側のシートと前記表側のシートの裏面に接着され、前記表側のシートの前記各ポケットを封止する裏側のシートとからなり、複数の薬剤を封入されたＰＴＰシートに装着され、前記ＰТＰシートに封入された複数の薬剤の保管管理、服用管理に多目的に用いるＰТＰシート用多目的スリーブであって、
前記ＰＴＰシートの前記表側のシートを覆い、前記表側のシートの前記各ポケットを挿通可能に複数の開口部を有する表面部と、
前記ＰＴＰシートの前記裏側のシートを覆い、前記表側のシートの前記各ポケットに対応して前記裏側のシートから押し出される薬剤を取り出し可能に複数の取出部を有する裏面部と、
を備え、
全体として、少なくとも一端又は一側に前記ＰＴＰシートの挿入口を有する扁平のスリーブ状に形成され、
前記裏面部の前記各取出部は、前記表面部の前記各開口部側から押される押圧力に抗する複数の切り込みと止めとからなり、前記裏面部で前記複数の切り込みと止めに沿って切り取り可能な破断線により取り囲み形成される破断部と、前記破断部に隣接して切り欠き形成される切欠部とにより構成され、
前記ＰＴＰシートは前記挿入口から前記表面部と前記裏面部との間に挿入され、前記ＰＴＰシートの前記各ポケットが前記表面部の前記各開口部から突出されて、前記ＰＴＰシートに装着され、
前記裏面部の前記破断部を切り開くことによって前記表面部側から前記ＰＴＰシートの前記各ポケットを薬剤とともに押し込み可能にした、
ことを特徴とするＰТＰシート用多目的スリーブ。
【請求項７】
破断線は、ＰＴＰシートの各ポケットを押す押圧力に対して、複数の止めの全部又は多くが切断されず残置可能に形成されて、破断部は前記押圧力により全体的に押し開き不能又は困難に構成される請求項６に記載のＰТＰシート用多目的スリーブ。
【請求項８】
破断部に医薬品の服用指導・確認のための記入欄を有する請求項６又は７に記載のＰТＰシート用多目的スリーブ。
【考案の詳細な説明】
【技術分野】
【０００１】
本考案は、ＰＴＰシートに包装された医薬品の子供による誤飲防止、ＰＴＰシートに包装された医薬品の携帯中の飛び出し防止、ＰＴＰシートに包装された医薬品の服用指導・確認などに適したＰТＰシート用多目的スリーブに関する。
【背景技術】
【０００２】
一般に、医療機関で提供される医薬品、特に内服薬には、錠剤、カプセル、粉末などがあり、それぞれ、製薬メーカーで包装されたパッケージの形で供給される。この場合、錠剤やカプセル錠などの薬剤の包装には、ＰＴＰ（プレススルーパッケージ）シートが広く用いられている。
【０００３】
このＰＴＰシートは、薬剤を１錠ずつ収容するための複数のポケットを有する表側のシートとしての透明プラスチック成形フィルムと、この薬剤の名称、内容量、製造元などが印刷され、プラスチック成形フィルムの裏面側に接着されて複数のポケットを封止する裏側のシートとしてのアルミシートとからなり、透明プラスチック成形フィルムの各ポケットに薬剤を収容した後、このプラスチック成形フィルムの裏面にアルミシートを加熱接着して、薬剤を封入するようになっている。このようにして薬剤を服用するときに、透明プラスチック成形フィルムのポケットの上から薬剤を押すことにより、裏面のアルミシートがその薬剤の位置で破れて、薬剤を簡易に取り出すことができる。
【０００４】
このように医療機関から提供される薬剤は取扱いやすいＰＴＰシートで包装されているので、患者は薬剤の服用を容易に行うことができる。
【０００５】
さて、このように便利なＰＴＰシートであるが、１シートに複数の薬剤をまとめて収容できること、薬剤を１錠ずつ容易に取り出しできることから、ユーザー側からは医薬品の保管管理上、服用管理上、次のような問題が指摘されている。
【０００６】
（医薬品の保管管理上の問題）
近時、子供による医薬品の誤飲事故が増えていることが報道などにより知られており、ＰＴＰシートに包装された薬剤もその例外ではない。概ね６か月から１歳半くらいの子供の場合、身近にあるものを手に取り、口に入れてなめたり噛んだりすることが多く、薬剤も身近にあれば同様で、ＰＴＰシートの場合、薬剤を容易に取り出しできることから、薬剤を飲み込みやすい。１歳半から２歳くらいの子供になると、薬剤をお菓子と間違えたり保護者の薬剤を服用する姿を模倣したりして飲んでしまうことがあり、ＰＴＰシートの場合、薬剤を容易に取り出しできることから、薬剤の誤飲が起きやすい。したがって、医薬品は子供の手の届かないところに保管することが重要であることは勿論のこと、子供が医薬品を手にした場合でも、ＰＴＰシートから薬剤を容易には取り出せないようにすることが必要である。
【０００７】
（医薬品の服用管理上の問題）
医薬品は決められた用法により服用することが必要である。ところが、薬剤の用法が１日一回か複数回かに関らず、決められた時間帯に薬剤を飲むのを忘れたり、決められた時間帯に薬剤を飲んだことを失念して二重に飲んでしまったり、決められた時間帯に薬剤を飲んでいないにも拘わらず飲んだか飲まなかったかが不明となり、結果として飲まなかったりなど、医師に処方された薬剤をその用法通りに服用できないことが少なくない。１枚のＰＴＰシートには複数の薬剤が収容されているため、薬剤を飲んだか飲まなかったかの判別をより困難にしている。したがって、薬剤の服用忘れや二重の服用を防止するための手立てが求められる。
【０００８】
前述の医薬品の保管管理上の問題に対しては、従来、誤飲防止ラベルが特許文献１により提案されている。
【０００９】
この文献１の誤飲防止ラベルは２層（剥離層、薄膜）からなり、ＰＴＰシートに適した形状にカットされ、ＰＴＰシートのプレススルーパッケージ毎にジッパー線が設けられて、ＰＴＰシートのアルミシートに粘着剤で貼り付けるようになっている。このラベルをＰＴＰシートのアルミシート上に貼り付けることで、アルミシートが遮蔽状態となり、ＰＴＰシートのポケットを押してもアルミシートは破断されず、薬剤を取り出すことができない。そして、このＰＴＰシートから薬剤を取り出すときは、ＰＴＰシートのアルミシートに貼り付けられたラベルのうち一端のプレススルーパッケージに対応する一部から剥離層を引き剥がして、薬剤を取り出す開放状態とする。このとき、ラベルに形成されたジッパー線が切断され、薬剤の取り出しに必要な部分のみが剥がされて開放状態となり、他の部分は遮蔽状態が維持される。この開放状態で、ＰＴＰシートのポケットを押すと、薬剤がアルミシートに当接して破断し、アルミシートとともに薄膜も破断されて開口し、薬剤を取り出すことができる。残りの薬剤も順次同様にして取り出すことができる。
【００１０】
このような誤飲防止ラベルを用いることにより、ＰＴＰシート内に薬剤を安全に収容保持し、子供がＰＴＰシートから薬剤を取り出せないようにして、子供による薬剤の誤飲を防止することができる。
【００１１】
また、前述の医薬品の服用管理上の問題に対しては、従来、薬の服用方法をサポートするため、薬を小分けにして収納するためのカレンダー式の薬収納具や箱などが提案され、その一例が特許文献２により開示されている。
【００１２】
この文献２の薬収納具は、薬剤を服用する人のために薬剤を服用時期に応じて分けて収納するもので、ボードの上に週間服用表が服用時期と服用日付を縦横の表として形成され、週間服用表の上に着脱手段を設けた薬収納袋配置部が配設され、各々の薬収納袋配置部に薬剤を服用時期に分けて収納する薬収納袋が装着されるようになっている。
【００１３】
このようなカレンダー式の薬収納具や容器を用いて、薬剤を服用すべき日、時間帯毎に薬を小分けにしておけば、各日、各時間帯の薬収納袋内を確認することで、薬剤を服用済みか否かが即時に分かり、薬剤の服用忘れや二重の服用を防止することができる。
【先行技術文献】
【特許文献】
【００１４】
【特許文献１】特開２０１５−９８８８号公報
【特許文献２】実用新案登録第３１１７８１１号公報
【考案の概要】
【考案が解決しようとする課題】
【００１５】
しかしながら、医薬品の保管管理上の問題に対して、上記従来の誤飲防止ラベルを使用する場合、ＰＴＰシート１枚毎にラベルをＰＴＰシートのアルミシート上に位置合せして張り付ける精度の高い作業が必要で、この作業を医薬品のユーザー（患者や薬剤師等医療従事者など）が手作業で行う場合、負担が大きく、多くの手間が掛り、煩雑である、という問題がある。
【００１６】
また、医薬品の服用管理上の問題に対して、上記従来の薬収納具を使用する場合、薬剤を服用すべき日、時間帯毎に小分けにする作業が手作業となり、薬剤の数だけ多くの手間が掛り、煩雑である、という問題がある。また、他面で、薬剤がＰＴＰシートで包装されていると、錠剤等を小分けしている間にＰＴＰシートのアルミシートを破いてしまうことがあり、ＰＴＰシートを破損してしまうと、薬剤の保存上好ましくない、という問題もある。
【００１７】
本考案は、このような従来の問題を解決するものであり、医薬品のユーザー（患者や薬剤師等医療従事者など）でも、薬剤を収容されたＰＴＰシートに簡易迅速に装着することができ、ＰＴＰシートに装着することで、子供によるＰТＰシート内の薬剤の誤飲を効果的に防止することができ、また併せて、医薬品の携帯中にＰТＰシートから薬剤が飛び出すのを確実に防止することができ、さらに、ＰＴＰシートに包装された薬剤の服用指導・確認を容易かつ適切に行うことができるなど、ＰТＰシートに包装された薬剤の保管管理、服用管理に多目的に用いることのできるＰТＰシート用多目的スリーブを提供すること、を目的とする。
【課題を解決するための手段】
【００１８】
上記目的を達成するために、本考案（１）は、
複数の錠剤、カプセル錠を含む複数の薬剤を個別に収容する複数のポケットを有する表側のシートと前記表側のシートの裏面に接着され、前記表側のシートの前記各ポケットを封止する裏側のシートとからなり、複数の薬剤を封入されたＰＴＰシートに装着され、前記ＰТＰシートに封入された複数の薬剤の保管管理、服用管理に多目的に用いるＰТＰシート用多目的スリーブであって、
前記ＰＴＰシートの前記表側のシートを覆い、前記表側のシートの前記各ポケットを挿通可能に複数の開口部を有する表面部と、
前記ＰＴＰシートの前記裏側のシートを覆い、前記表側のシートの前記各ポケットに対応して前記裏側のシートから押し出される薬剤を取り出し可能に複数の取出部を有する裏面部と、
を備え、
全体として、少なくとも一端又は一側に前記ＰＴＰシートの挿入口を有する扁平のスリーブ状に形成され、
前記裏面部の前記各取出部は、前記表面部の前記各開口部側から押される押圧力に抗する複数の切り込みと止めとからなり、前記裏面部で前記複数の切り込みと止めに沿って切り取り可能な破断線により取り囲み形成されて破断部として構成され、
前記ＰＴＰシートは前記挿入口から前記表面部と前記裏面部との間に挿入され、前記ＰＴＰシートの前記各ポケットが前記表面部の前記各開口部から突出されて、前記ＰＴＰシートに装着され、
前記裏面部の前記破断部を切り開くことによって前記表面部側から前記ＰＴＰシートの前記各ポケットを薬剤とともに押し込み可能にした、
ことを要旨とする。
【００１９】
また、このＰТＰシート用多目的スリーブは各部に次のような構成を有することが好ましい。
（１）破断部の縁部の一部に隣接して当該縁部の一部に少なくとも指先が掛かる程度に切欠部が形成されて、前記破断部は縁部の一部が前記切欠部の切欠縁部により縁部の残部が破断線により取り囲まれる。
この場合、破断部の縁部の一部に隣接して切欠部とともに付加切断部が形成されて、前記破断部の縁部の一部は前記切欠部の切欠縁部及び前記破断部と前記付加切断部との境界にさらに形成される付加切断線からなるものとしてもよい。
（２）破断線は、ＰＴＰシートの各ポケットを押す押圧力に対して、複数の止めの全部又は多くが切断されず残置可能に形成されて、破断部は前記押圧力により全体的に押し開き不能又は困難に構成される。
（３）破断部に医薬品の服用指導・確認のための記入欄を有する。
【００２０】
また、上記目的を達成するために、本考案（２）は、
複数の錠剤、カプセル錠を含む複数の薬剤を個別に収容する複数のポケットを有する表側のシートと前記表側のシートの裏面に接着され、前記表側のシートの前記各ポケットを封止する裏側のシートとからなり、複数の薬剤を封入されたＰＴＰシートに装着され、前記ＰТＰシートに封入された複数の薬剤の保管管理、服用管理に多目的に用いるＰТＰシート用多目的スリーブであって、
前記ＰＴＰシートの前記表側のシートを覆い、前記表側のシートの前記各ポケットを挿通可能に複数の開口部を有する表面部と、
前記ＰＴＰシートの前記裏側のシートを覆い、前記表側のシートの前記各ポケットに対応して前記裏側のシートから押し出される薬剤を取り出し可能に複数の取出部を有する裏面部と、
を備え、
全体として、少なくとも一端又は一側に前記ＰＴＰシートの挿入口を有する扁平のスリーブ状に形成され、
前記裏面部の前記各取出部は、前記表面部の前記各開口部側から押される押圧力に抗する複数の切り込みと止めとからなり、前記裏面部で前記複数の切り込みと止めに沿って切り取り可能な破断線により取り囲み形成される破断部と、前記破断部に隣接して切り欠き形成される切欠部とにより構成され、
前記ＰＴＰシートは前記挿入口から前記表面部と前記裏面部との間に挿入され、前記ＰＴＰシートの前記各ポケットが前記表面部の前記各開口部から突出されて、前記ＰＴＰシートに装着され、
前記裏面部の前記破断部を切り開くことによって前記表面部側から前記ＰＴＰシートの前記各ポケットを薬剤とともに押し込み可能にした、
ことを要旨とする。
【００２１】
また、このＰТＰシート用多目的スリーブは各部に次のような構成を有することが好ましい。
（１）破断線は、ＰＴＰシートの各ポケットを押す押圧力に対して、複数の止めの全部又は多くが切断されず残置可能に形成されて、破断部は前記押圧力により全体的に押し開き不能又は困難に構成される。
（２）破断部に医薬品の服用指導・確認のための記入欄を有する。
【考案の効果】
【００２２】
本考案のＰТＰシート用多目的スリーブ（１）によれば、次のような本考案独自の格別な効果を奏する。すなわち、ＰТＰシート用多目的スリーブは、ＰＴＰシートが挿入口から表面部と裏面部との間に挿入され、ＰＴＰシートの各ポケットが表面部の各開口部から突出されて、ＰＴＰシートに装着されるので、患者自身や薬剤師等医療従事者でも、このＰТＰシート用多目的スリーブを薬剤を収容されたＰＴＰシートに簡易迅速に装着することができる。そして、このＰТＰシート用多目的スリーブをＰＴＰシートに装着して、裏面部の破断部を切り開くことによって表面部側からＰＴＰシートの各ポケットを薬剤とともに押し込み可能としたので、ＰТＰシートから薬剤を取り出す際に、裏面部の破断部を切り開く工程を経ないと、薬剤を取り出すことができない。したがって、子供によるＰТＰシート内の薬剤の誤飲を効果的に防止することができる。また、ＰТＰシート包装の薬剤の携帯中にＰТＰシートから薬剤が飛び出すのを確実に防止することができる。さらに、破断部に薬剤の服用日又は服用日時などを記入することができ、このようにすることでＰＴＰシート包装の薬剤の服用指導・確認を容易かつ適切に行うことができる。
【００２３】
本考案のＰТＰシート用多目的スリーブ（２）によれば、次のような本考案独自の格別な効果を奏する。すなわち、ＰТＰシート用多目的スリーブは、ＰＴＰシートが挿入口から表面部と裏面部との間に挿入され、ＰＴＰシートの各ポケットが表面部の各開口部から突出されて、ＰＴＰシートに装着されるので、患者自身や薬剤師等医療従事者でも、このＰТＰシート用多目的スリーブを薬剤を収容されたＰＴＰシートに簡易迅速に装着することができる。そして、このＰТＰシート用多目的スリーブをＰＴＰシートに装着して、裏面部の破断部を切り開くことによって表面部側からＰＴＰシートの各ポケットを薬剤とともに押し込み可能としたので、ＰТＰシートから薬剤を取り出す際に、裏面部の破断部を切り開く工程を経ないと、薬剤を取り出すことができない。したがって、子供によるＰТＰシート内の薬剤の誤飲を効果的に防止することができる。また、このＰТＰシート用多目的スリーブの場合、裏面部の各取出部が破断部と切欠部とにより構成されて破断部が（上記ＰТＰシート用多目的スリーブ（１）に比べて）小さくなって、この破断部を通常より強く押し込むことで、破断部を一部の止めが切断されず残置されて略半開の状態に押し開くことができ、この略半開の破断部でＰТＰシートの裏側から押し出された薬剤を保持することができる。したがって、ＰТＰシートから薬剤を取り出す際に、ＰТＰシートから薬剤がポロっと落ちることがなく、落下した薬剤を子どもが誤って飲んでしまうといったことを防止することができる。また、薬剤を服用する者が手が不自由であっても、ＰТＰシートから薬剤を落とすことなく取り出すことができ、安心して服用することができる。さらには、ＰТＰシート包装の薬剤の携帯中にＰТＰシートから薬剤が飛び出すのを確実に防止することができる。また、破断部に薬剤の服用日又は服用日時などを記入することができ、このようにすることでＰＴＰシート包装の薬剤の服用指導・確認を容易かつ適切に行うことができる。
【図面の簡単な説明】
【００２４】
【図１】複数の薬剤を包装する一般的なＰТＰシートの構成を示す図（（ａ）は正面図（ｂ）は背面図）
【図２】本考案の第１の実施の形態としてのＰТＰシート用多目的スリーブの構成を示す図（（ａ）は正面図（ｂ）は背面図）
【図３】同ＰТＰシート用多目的スリーブの組み立て前のブランクシートの構成を示す図（組み立て時に同ＰТＰシート用多目的スリーブの内面をなす側から見た展開図）
【図４】同ＰТＰシート用多目的スリーブの組み立て手順を示す図
【図５】同ＰТＰシート用多目的スリーブのＰＴＰシートへの装着手順を示す図
【図６】同ＰТＰシート用多目的スリーブをＰＴＰシートに装着した状態を示す図
【図７】同ＰТＰシート用多目的スリーブの使用例を示す図
【図８】同ＰТＰシート用多目的スリーブの別の使用例を示す図
【図９】同ＰТＰシート用多目的スリーブのまた別の使用例を示す図
【図１０】本考案の第２の実施の形態としてのＰТＰシート用多目的スリーブの構成を示す図（（ａ）は正面図（ｂ）は背面図（ｃ）は左側面図（ｄ）は右側面図（ｅ）は平面図（ｆ）は底面図）
【図１１】同ＰТＰシート用多目的スリーブの組み立て前のブランクシートの構成を示す図（組み立て時に同ＰТＰシート用多目的スリーブの内面をなす側から見た展開図）
【図１２】同ＰТＰシート用多目的スリーブをＰＴＰシートに装着した状態を示す図
【図１３】同ＰТＰシート用多目的スリーブの使用例を示す図
【図１４】本考案の第３の実施の形態としてのＰТＰシート用多目的スリーブの構成を示す図（（ａ）は正面図（ｂ）は背面図）
【図１５】同ＰТＰシート用多目的スリーブの組み立て前のブランクシートの構成を示す図（組み立て時に同ＰТＰシート用多目的スリーブの内面をなす側から見た展開図）
【図１６】同ＰТＰシート用多目的スリーブをＰＴＰシートに装着した状態を示す図
【図１７】同ＰТＰシート用多目的スリーブの使用例を示す図
【考案を実施するための形態】
【００２５】
以下、この考案の実施の形態を添付図面に基づいて説明する。図１に一般的なＰＴＰシートを示し、図２、図３に第１の実施の形態を示している。
【００２６】
図１に示すように、ＰＴＰ（プレススルーパッケージ）シートＳは、複数の錠剤、カプセル錠を含む複数の薬剤Ｋを個別に収容する複数のポケットＳ１ｐを有する表側のシートＳ１と表側のシートＳ１の裏面に接着され、表側のシートＳ１の各ポケットＳ１ｐを封止する裏側のシートＳ２とからなり、複数の錠剤、カプセル錠など複数の薬剤Ｋが封入される。
【００２７】
図２に示すように、ＰＴＰシート用多目的スリーブＡ１（以下の第１の実施の形態の説明において、単に多目的スリーブＡ１という。）は、複数の薬剤Ｋを封入されたＰＴＰシートＳに装着され、ＰТＰシートＳに封入された複数の薬剤Ｋの保管管理、服用管理に多目的に用いるもので、ＰＴＰシートＳの表側のシートＳ１を覆い、表側のシートＳ１の各ポケットＳ１ｐを挿通可能に複数の開口部１０を有する表面部１と、ＰＴＰシートＳの裏側のシートＳ２を覆い、表側のシートＳ１の各ポケットＳ１ｐに対応して裏側のシートＳ２から押し出される薬剤Ｋを取り出し可能に複数の取出部２０を有する裏面部２とを備え、全体として、少なくとも一端にＰＴＰシートの挿入口４を有する扁平のスリーブ状に形成されてなる。
【００２８】
そして、この多目的スリーブＡ１においては、特に、裏面部２の各取出部２０が、表面部１の各開口部１０側から押される押圧力に抗する複数の切り込み２１０と止め（繋ぎ部分）２１１とからなり、裏面部２で当該複数の切り込み２１０と止め２１１に沿って切り取り可能な破断線２１により取り囲み形成されて、破断部２０として構成される。
【００２９】
また、この多目的スリーブＡ１では、破断部２０の縁部の一部２０１に隣接して当該縁部の一部２０１に少なくとも指先が掛かる程度に切欠部２１３が形成されて、破断部２０は縁部の一部２０１が切欠部２１３の切欠縁部２１３ａにより縁部の残部２０２が破断線２１により取り囲まれる。
【００３０】
さらに、この多目的スリーブＡ１では、破断線２１は、ＰＴＰシートＳの各ポケットＳ１ｐを押す押圧力に対して、複数の止め２１１の全部又は多くが切断されず残置可能に形成されて、破断部２０は押圧力により全体的に押し開き不能に構成される。
なお、この場合の押圧力は、一般の大人がＰＴＰシートＳの各ポケットＳ１ｐを普通に押す押圧力を基準にしてもよいが、この多目的スリーブＡ１を提供する目的から、少なくとも、概ね６か月から２歳くらいの子供（段落０００６参照）の有する押圧力（口に入れて噛む力を含む。）を基準とするものとする。
【００３１】
またさらに、この多目的スリーブＡ１では、破断部２０に医薬品の服用指導・確認のための記入欄６が設けられる。
【００３２】
このようにしてＰＴＰシートＳはこの多目的スリーブＡ１の挿入口４から表面部１と裏面部２との間に挿入され、ＰＴＰシートＳの各ポケットＳ１ｐが表面部１の各開口部１０から突出されて、ＰＴＰシートＳに装着され、裏面部２の取出部（破断部）２０を切り開くことによって表面部１側からＰＴＰシートＳの各ポケットＳ１ｐを薬剤Ｋとともに押し込み可能としてある。
【００３３】
この実施の形態では、多目的スリーブＡ１は、さらに次のように具体化される。
なお、この実施の形態で例示するＰＴＰシートＳは、薬剤Ｋとして円形の錠剤（以下、錠剤Ｋという。）を１錠ずつ収容するための円形のポケットＳ１ｐを左右方向に２列、各列上下方向に５個ずつ有する表側のシートＳ１としての透明プラスチック成形フィルム（以下、透明プラスチック成形フィルムＳ１という。）と、この錠剤Ｋの名称、内容量、製造元などが印刷され、透明プラスチック成形フィルムＳ１の裏面側に接着されて各ポケットＳ１ｐを封止する裏側のシートＳ２としてのアルミシート（以下、アルミシートＳ２という。）とからなり、透明プラスチック成形フィルムＳ１の１０個のポケットＳ１ｐに錠剤Ｋが収容され、この透明プラスチック成形フィルムＳ１の裏面にアルミシートＳ２が加熱接着されて、１０錠の錠剤Ｋが封入されるものとする。
【００３４】
図３に示すように、この多目的スリーブＡ１は、板紙その他の比較的厚さがあり直立性を有する紙材により形成されるブランクシートＢからなる。この場合、ブランクシートＢは全体として縦方向よりも横方向に若干長い角丸の長方形をなし、一方側、この場合、右側に表面部１、他方側、この場合、左側に裏面部２が、それぞれ、中央に折り目３を介して連接して形成され、中央の折り目３を中心に対称になっている。
【００３５】
表面部１は、縦長の略長方形を呈する。この表面部１の右端で表面部１全体の略４分の１の幅が糊接着部１２で、その左側で表面部１全体の略４分の３の幅がＰТＰシートＳの表側のシートＳ１を覆う被覆部１３になっている。糊接着部１２と被覆部１３との間には縦方向に折り目１４が付設される。この場合、折り目１４はミシン目線からなる。糊接着部１２の一端に孔５１が一つ設けられる。この場合、孔５１は、糊接着部１２の下端に、開口部１０よりも小径の円形に穿たれる。なお、この孔５１は初期状態から開口していてもよく、初期状態は破断線として塞いでおき、使用時に切り抜かれるものとしてもよい。被覆部１３は上縁部の中央に下方に凸の円弧状の溝１３０が形成され、上縁部と下縁部との間にＰТＰシートＳの各ポケットＳ１ｐに対応して各ポケットＳ１ｐを挿通可能に複数の開口部１０が円形に形成される。先述したように、ここでＰＴＰシートＳは、ポケットＳ１ｐを左右方向に２列、各列上下方向に５個ずつ有するので、これに合わせて、被覆部１３に複数の開口部１０が左右方向に２列、各列上下方向に５個ずつ、合計１０個設けられる。
【００３６】
裏面部２は、縦長の略長方形を呈する。この裏面部２の左端で裏面部２全体の略４分の１の幅が糊接着部２２で、その右側で裏面部２全体の略４分の３の幅がＰТＰシートＳの裏側のシートＳ２を覆う被覆部２３になっている。糊接着部２２と被覆部２３との間には縦方向に折り目２４が付設される。この場合、折り目２４はミシン目線からなる。糊接着部２２の一端に表面部１の孔５１に対応して孔５２が一つ設けられる。この場合、孔５２は、表面部１の孔５１と同様に、糊接着部２３の下端に、開口部１０よりも小径の円形に穿たれる。なお、同様に、この孔５２は初期状態から開口していてもよく、初期状態は破断線として塞いでおき、使用時に切り抜かれるものとしてもよい。被覆部２３は上縁部の中央に下方に凸の円弧状の溝２３０が形成され、上縁部と下縁部との間に、表面部１と異なり、ＰТＰシートＳの表側のシートＳ１の各ポケットＳ１ｐに対応して、言い換えれば、表面部１の各開口部１０に対応して、錠剤Ｋのための複数の取出部２０が形成される。ここでＰＴＰシートＳは、ポケットＳ１ｐが左右方向に２列、各列上下方向に５個ずつ有するので、これに合わせて、被覆部２３に複数の取出部２０が左右方向に２列、各列上下方向に５個ずつ、合計１０個設けられる。
【００３７】
この裏面部２の各取出部２０は、裏面部２の左右方向内側から外側に向けて凸の略Ｕ字形に、表面部１の各開口部１０側から押される押圧力に抗する複数の切り込み２１０と止め２１１とからなり、裏面部２でこの複数の切り込み２１０と止め２１１に沿って切り取り可能な破断線（ミシン目線）２１を形成されて、この破断線２１内に破断部２０として形成される。この場合、各破断線２１は、ＰＴＰシートＳの各ポケットＳ１ｐを押す押圧力に対して、複数の止め２１１の全部又は多くが切断されず残置可能に所定の長さに形成されて、各破断部２０は押圧力により全体的に押し開き不能又は困難に形成される。また、各破断線２１の上下の両端部は切り込み２１０になっている。また、この場合、各取出部２０は、破断部２０の縁部の一部２０１、この場合、各破断線２１の両端部間の縁部２０１に隣接してこの縁部２０１に少なくとも指先が掛かる程度に切欠部２１３が形成される。この切欠部２１３は左右の各取出部２０間で連通され、左右の各破断線２１の両端部間の切欠縁部２１３ａは相互に他方の取出部２０に向けて凸の弧状（又は爪先形状）に形成される。かくして各取出部２０をなす破断部２０は縁部の一部２０１が切欠部２１３の弧状の切欠縁部２１３ａにより縁部の残部２０２が略Ｕ字形の破断線２１により取り囲まれる。なお、各破断部２０には外面（外側の面）に、図２（ｂ）に示すように、医薬品の服用指導・確認のための記入欄６として、円形の線とこの円形の線内で右上から左下に延びる斜線からなる日付記入欄（以下の第１の実施の形態の説明において、日付記入欄６という。）が印刷により付される。
【００３８】
そして、この多目的スリーブＡ１は、組み立て後の表面部１、裏面部２を簡易に接着可能に、表面部１又は裏面部２の一方の糊接着部１２又は２２、ここでは、裏面部２の糊接着部２２に両面テープ２５が貼着される。なお、両面テープ２５の表面の接着面に剥離紙が付けられており、使用前の表面の接着面が保護される。
【００３９】
この多目的スリーブＡ１はかかる構成からなり、病院その他の医療機関の薬局や保険調剤薬局で、ＰТＰシートＳ包装の錠剤Ｋとともに、患者に、組み立て前のシート（つまり、ブランクシートＢ）の状態又は組み立て後のスリーブ（つまり、多目的スリーブＡ１）の状態で、提供される。
【００４０】
図４、図５にこの多目的スリーブＡ１（ブランクシートＢ）を組み立て、ＰТＰシートＳに装着する手順を示している。図６にこの多目的スリーブＡ１のＰＴＰシートＳに装着後の状態を示している。
【００４１】
図４に示すように、まず、組み立て前のシート状の多目的スリーブＡ１、すなわち、ブランクシートＢを、中央の折り目３を谷折りにして、裏面部２の内面に表面部１の内面を重ねる。次に、裏面部２の糊接着部２２に貼着された両面テープ２５の表面から剥離紙を剥がして、両面テープ２５の接着面に表面部１の糊接着部１２を接着する。これにより、組み立て前のシート状の多目的スリーブＡ１（ブランクシートＢ）が上部及び下部を線形に開口される扁平のスリーブ状に（つまり、多目的スリーブＡ１として）組み立てられる。この場合、上部の開口がＰТＰシートの挿入口４になる。なお、表面部１の糊接着部１２の孔５１と裏面部２の糊接着部２２の孔５２もまた重ねられて連通し、一つの孔５となる。このようにして、この多目的スリーブＡ１の挿入口４から、ＰТＰシートＳを挿入する。
【００４２】
この場合、まず、図５（１）に示すように、多目的スリーブＡ１を一方の手で握り、多目的スリーブＡ１の両側を少し押圧して、表面部１及び裏面部２の各上縁部間、すなわち、上部の挿入口４を少し大きく開く。このとき、表面部１及び裏面部２の各糊接着部１２、２２と各被覆部１３、２３との間に縦方向にミシン目線からなる折り目１４、２４が設けられていることで、多目的スリーブＡ１両側の加圧により、表面部１及び裏面部２がそれぞれ外側に凸の円弧状に膨出変形され、上部の挿入口４が簡単かつ円滑に比較的大きく開放される。
【００４３】
続いて、図５（２）に示すように、他方の手でＰТＰシートＳの上端を持ち、ＰТＰシートＳの表側、裏側をそれぞれ多目的スリーブＡ１の表面部１、裏面部２に合わせて、ＰТＰシートＳを下端から多目的スリーブＡ１の上部挿入口４から差し込み、ＰТＰシートＳ全体を多目的スリーブＡ１内に挿入する。このとき、多目的スリーブＡ１の上縁部が円弧状の溝１３０、２３０になっていることで、ＰТＰシートＳを持つ手の指先が多目的スリーブＡ１の上縁部に干渉することがなく、ＰТＰシートＳ全体を多目的スリーブＡ１内に簡単に入れることができる。
【００４４】
ＰТＰシートＳ全体を多目的スリーブＡ１内に挿入したら、図５（３）に示すように、多目的スリーブＡ１両側の押圧を解き、多目的スリーブＡ１を扁平状に戻しながら、ＰТＰシートＳのすべてのポケットＳ１ｐを多目的スリーブＡ１の各開口部１０に対応させて各開口部１０に嵌挿する。これにより、図６に示すように、多目的スリーブＡ１がＰТＰシートＳに装着される。このとき、ＰТＰシートＳのすべてのポケットＳ１ｐが多目的スリーブＡ１の各開口部１０に嵌め込まれることで、ＰТＰシートＳは多目的スリーブＡ１から抜けにくくなり、多目的スリーブＡ１をＰТＰシートＳに一度装着すると、既述のとおり、多目的スリーブＡ１の両側を押圧してＰТＰシートＳのすべてのポケットＳ１ｐを多目的スリーブＡ１の各開口部１０から抜かない限り、取り外すことができない。したがって、多目的スリーブＡ１はＰТＰシートＳから簡単には外れない。
【００４５】
このようにしてＰＴＰシートＳは多目的スリーブＡ１の挿入口４から表面部１と裏面部２との間に挿入され、ＰＴＰシートＳの各ポケットＳ１ｐが表面部１の各開口部１０から突出されて、ＰＴＰシートＳに装着される。そして、錠剤Ｋを取り出す際は、裏面部２の破断部２０を破断線２１に沿って切り開くことによって表面部１側からＰＴＰシートＳのポケットＳ１ｐを錠剤Ｋとともに押し込み可能となり、ＰＴＰシートＳの表面の透明プラスチック成形フィルムＳ１のポケットＳ１ｐの上から錠剤Ｋを押すことにより、その錠剤Ｋの位置で裏面のアルミシートＳ２が破れて、錠剤Ｋが押し出されるようになっている。
【００４６】
図７にＰТＰシートＳに装着した多目的スリーブＡ１の使用例を示している。なお、この多目的スリーブＡ１の使用の前に、図６（ｂ）に示すように、裏面部２の各破断部（各取出部）２０に医薬品の服用指導・確認のために設けられた日付記入欄６にそれぞれ、服用日を記入しておく。この場合、例えば、最上部の右側の破断部２０の日付記入欄６に服用１回目の日付を、最上部の左側の破断部２０の日付記入欄６に服用２回目の日付を記入し、その下の各破断部２０の各日付記入欄６に服用３回目以降の日付を順次記入していく。
【００４７】
そして、服用１回目の場合であれば、図７（１）に示すように、裏面部２の服用１回目の日付の入った破断部２０を確認した後、図７（２）、（３）に示すように、裏面部２の最上部右側の破断部２０を破断線２１に沿って切り開く。この場合、図２（ｂ）に示すように、破断部２０の破断線２１の両端部間の縁部（縁部の一部２０１）に隣接して切欠部２１３が形成され、この縁部（縁部の一部２０１）が左側の破断部２０に向けて凸の弧状（又は爪先形状）に形成されて、この縁部（縁部の一部２０１）に例えば親指などの指先が掛けやすくなっているので、この縁部（縁部の一部２０１）に指先を掛けて、破断部２０を引き起こしめくるようにして、切り取ればよい。このようにすると、破断線２１の両端部が切り込み２１０になっていることで切り初めがスムーズで、破断線２１が両端から連続的に切断されて、破断部２０を１アクションで容易に切り開くことができる。このようにして破断部２０が取り開かれて錠剤Ｋの取出部２０として開口され、そこから、ＰТＰシートＳの裏面のアルミシートＳ２が露出される。
【００４８】
続いて、図７（４）に示すように、多目的スリーブＡ１の表面部１からＰＴＰシートＳの透明プラスチック成形フィルムＳ１のポケットＳ１ｐ、この場合、最上部の左側のポケットＳ１ｐの上から錠剤Ｋを押すことにより、図７（５）に示すように、その錠剤Ｋの位置で裏面のアルミシートＳ２が破れて、錠剤Ｋが押し出される。このようにしてＰТＰシートＳから錠剤Ｋが取り出され、錠剤Ｋを服用することができる。そして、服用日の日付が記入された取出部２０が切り開かれたことで、これが、服用日に錠剤Ｋが取り出されたことの履歴となり、これにより、服用日に錠剤Ｋを服用済みであることを確認することができる。
【００４９】
服用２回目以降の場合も同様である。
【００５０】
一方、この多目的スリーブＡ１を装着されたＰТＰシートＳは、図６に示すように、多目的スリーブＡ１の裏面部２の各破断部２０が、表面部１の各開口部１０側から押される押圧力に抗する複数の切り込み２１０と止め２１１とからなる破断線２１により取り囲み形成されていることで、表面部１側からＰＴＰシートＳの各ポケットＳ１ｐを錠剤Ｋとともに単に押し込むだけでは、裏面部２の各破断部２０の破断線２１を破断することができず、各破断部２０を押し開くことができない。表面部１側からＰＴＰシートＳの各ポケットＳ１ｐを押して錠剤Ｋを裏面部２から押し出すためには、既述のとおり、各破断部２０を予め切り開いておく必要がある。このような多目的スリーブＡ１のしくみから、とりわけ、医薬品を誤って飲んでしまうような年少の子どもが、このＰТＰシートＳを手にして、多目的スリーブＡ１の表面部１から突出する各ポケットＳ１ｐを手で押したり口に入れて噛んだりしても、多目的スリーブＡ１の裏面部２の各破断部２０を押し開くことはできない。また、このような子どもでは、裏面部２の各破断部２０を切り開いておかない限り、各ポケットＳ１ｐの錠剤Ｋを裏面部２から取り出すことができないことまでは分からないため、各ポケットＳ１ｐから錠剤Ｋを取り出すことができず、錠剤Ｋを誤って飲んでしまうことがない。
【００５１】
また他面で、ＰТＰシートＳをカバンなどに入れて携帯する際にも、この多目的スリーブＡ１は有効である。多目的スリーブＡ１を付けていない一般のＰТＰシートをカバンに入れて携帯していると、ＰТＰシートのポケットがカバンの中の他のモノに押されたり他のモノとぶつかったりすることで、ポケット内の錠剤がＰТＰシートから飛び出してしまうことがある。これに対して、多目的スリーブＡ１を装着されたＰТＰシートＳの場合、カバンの中に入れて携帯中に、カバンの中で表面部１から突出されるＰＴＰシートＳの各ポケットＳ１ｐが他のモノに押されたり他のモノとぶつかったりしても、裏面部２の各破断部２０の破断線２１は破断されず、各破断部２０は押し開かれることがない。したがって、ＰТＰシートＳから錠剤Ｋの飛び出しを確実に防止することができる。
【００５２】
このように、この多目的スリーブＡ１では、裏面部２の破断部２０を切り開き、表面部１からＰТＰシートＳのポケットＳ１ｐを押す２アクションで、ＰТＰシートＳから錠剤Ｋを取り出すようにしたことで、錠剤Ｋの保護とともに子どもによる医薬品の誤飲防止を強化することができる。
【００５３】
図８、図９にＰТＰシートＳに装着した多目的スリーブＡ１のまた別の使用例を示している。図８に示すように、この多目的スリーブＡ１には一方の側部下部に表面部１及び裏面部２の各糊接着部１２、２２の各孔５１、５２が重合されてなる一つの孔５が設けられ、この孔５にリングや紐などを通せるようになっている。この孔５に例えばリングＲを取り付けることで、複数のＰТＰシートＳに装着した複数の多目的スリーブＡ１をバラバラにならないように一つにまとめることができる。このように複数の多目的スリーブＡ１をリングＲで一つにまとめておくことで、例えば、複数のＰТＰシートＳ包装の複数の種類の錠剤Ｋを服用している場合に、複数の種類の一部の錠剤を飲み忘れるなど錠剤の服用漏れを防ぐことができる。また、このようなリングＲなどを使うことで、図９に示すように、多目的スリーブＡ１を装着したＰТＰシートＳを住まいの壁に取り付けられたフックＦなどに吊り下げて保管することができる。このようにして壁の高い位置に錠剤Ｋを吊り下げて、小さな子供の手が届かないようにすることでも、子供による錠剤の誤飲を防止することができる。なお、錠剤Ｋを長時間置いておく場所としては子どもから見えないところが望ましいところ、リングＲとフックＦを用いれば、そのような場所を容易に確保することができる。
【００５４】
なお、この多目的スリーブＡ１を使用後のＰТＰシートＳとともに廃棄する場合も利便性がある。この多目的スリーブＡ１では表面部１及び裏面部２の各糊接着部１２、２２と各被覆部１３、２３との間にミシン目線からなる折り目１４、２４が付されていることで、この折り目１４、２４に沿って各糊接着部１２、２２を各被覆部１３、２３から容易に切り離すことができる。各糊接着部１２、２２を各被覆部１３、２３から切り離すと、多目的スリーブＡ１の一方側が離間し、表面部１、裏面部２間から使用済みのＰТＰシートＳを容易に取り出すことができる。したがって、板紙製の多目的スリーブＡ１とプラスチック成形フィルムＳ１及びアルミシートＳ２からなるＰТＰシートＳとを容易に分別して廃棄することができる。
【００５５】
以上説明したように、この多目的スリーブＡ１は、ＰＴＰシートＳが挿入口４から表面部１と裏面部２との間に挿入され、ＰＴＰシートＳの各ポケットＳ１ｐが表面部１の各開口部１０から突出されて、ＰＴＰシートＳに装着されるので、患者自身や薬剤師等医療従事者でも、この多目的スリーブＡ１を錠剤Ｋを収容されたＰＴＰシートＳに簡易迅速に装着することができる。そして、この多目的スリーブＡ１をＰＴＰシートＳに装着して、裏面部２の破断部２０を切り開くことによって表面部１側からＰＴＰシートＳの各ポケットＳ１ｐを錠剤Ｋとともに押し込み可能にしたので、ＰТＰシートＳから錠剤Ｋを取り出す際は、裏面部２の破断部２０を切り開く一工程を経なければ、つまり、この一手間がなければ、錠剤Ｋを取り出すことができない。このようにしたことで、子供によるＰТＰシートＳ内の錠剤Ｋの誤飲を確実に防止することができる。また、この多目的スリーブＡ１はＰТＰシートＳ包装の錠剤Ｋの携帯中にも有効で、ＰТＰシートＳ内の錠剤Ｋが常態としてこの多目的スリーブＡ１により保持されるので、ＰТＰシートＳからの錠剤Ｋの飛び出しを確実に防止することができる。さらに、各破断部２０の各日付記入欄６に錠剤Ｋの服用日又は服用日時などを記入することができ、これらの記入により、ＰＴＰシートＳの錠剤Ｋの服用指導・確認を容易かつ適切に行うことができる。
【００５６】
また、この多目的スリーブＡ１によれば、さらに次のような利点を有する。
【００５７】
この多目的スリーブＡ１では、裏面部２の各破断部２０の縁部の一部２０１に隣接して当該縁部の一部２０１に少なくとも指先が掛かる程度に切欠部２１３が形成されて、各破断部２０は縁部の一部２０１が切欠部２１３の切欠縁部２１３ａにより縁部の残部２０２が破断線２１により取り囲まれる。このようにすることで、この縁部の一部２０１に指先を掛けやすく、この縁部の一部２０１に指先を掛けてつまみ、破断部２０を引き起こしめくるようにして、切り取ることができる。これにより、破断線２１を連続的に切断して、破断部２０を１アクションで容易に切り開くことができる。
【００５８】
この多目的スリーブＡ１では、裏面部２の破断線２１は、ＰＴＰシートＳの各ポケットＳ１ｐを押す押圧力に対して、複数の止め２１１の全部又は多くが切断されず残置可能に形成されて、破断部２０は当該押圧力により全体的に押し開き不能又は困難に構成される。このようにすることで、表面部１側からＰＴＰシートＳの各ポケットＳ１ｐを錠剤Ｋとともに単に押し込むだけでは、裏面部２の各破断部２０の破断線２１を破断することができず、各破断部２０を押し開くことができない。とりわけ、医薬品を誤って飲んでしまうような年少の子どもでは、このＰТＰシートＳを手にして、多目的スリーブＡ１の表面部１から突出する各ポケットＳ１ｐを手で押したり口に入れて噛んだりしても、多目的スリーブＡ１の裏面部２の各破断部２０を押し開くことはできない。また、このような子どもでは、裏面部２の各破断部２０を切り開いておかない限り、各ポケットＳ１ｐの錠剤Ｋを裏面部２から取り出すことができないことまでは分からないため、各ポケットＳ１ｐから錠剤Ｋを取り出すことはできない。したがって、子どもによる錠剤Ｋの誤飲をより確実に防止することができる。
【００５９】
この多目的スリーブＡ１では、裏面部２の各破断部２０に医薬品の服用指導・確認のための日付記入欄６が印刷されているので、この日付記入欄６にそれぞれ、服用日を記入でき、この記入した日付を視認しやすくすることができる。そして、ＰТＰシートＳから錠剤Ｋを取り出す際に、裏面部２の各破断部２０を切り開くので、服用日の日付が記入された取出部２０が切り開かれることで、服用日に錠剤Ｋが取り出されて服用済みであることを瞬時に確認することができる。
【００６０】
図１０、図１１に第２の実施の形態を示している。図１０に示すように、この多目的スリーブＡ２は、第１の実施の形態と同様に、表面部１と、裏面部２とを備え、全体として扁平のスリーブ状に形成されてなる。そして、この多目的スリーブＡ２においても、裏面部２の各取出部２０が、表面部１の各開口部１０側から押される押圧力に抗する複数の切り込み２１０と止め２１１とからなり、裏面部２で当該複数の切り込み２１０と止め２１１に沿って切り取り可能な破断線２１により取り囲み形成されて、破断部２０として構成される。
【００６１】
この多目的スリーブＡ２は、基本的に、第１の実施の形態のものと概ね共通の構成を備え、破断部２０の縁部の一部２０３に隣接して切欠部２１４とともに付加切断部２１５を有する点で、第１の実施の形態と異なる。すなわち、第１の実施の形態では、図２に示すように、裏面部２の破断部２０の縁部の一部２０１に隣接して当該縁部の一部２０１に少なくとも指先が掛かる程度に切欠部２１３が形成されて、破断部２０は縁部の一部２０１が切欠部２１３の切欠縁部２１３ａにより縁部の残部２０２が破断線２１により取り囲まれるものとした。これに対して、この実施の形態では、図１０に示すように、破断部２０の縁部の一部２０３に隣接して切欠部２１４とともに付加切断部２１５が形成されて、破断部２０の縁部の一部２０３は切欠部２１４の切欠縁部２１４ａ及び破断部２０と付加切断部２１５との境界にさらに形成される付加切断線２１５ａからなるものとした。
【００６２】
以下、この多目的スリーブＡ２の説明では、第１の実施の形態と共通の構成については、第１の実施の形態と同様の符号を付すことによりその重複した説明を省略し、第１の実施の形態と異なる構成については、新たな符号を付して説明を追加することとする。
【００６３】
なお、第２の実施の形態においても、ＰТＰシートＳは、円形の錠剤Ｋを１錠ずつ収容するための円形のポケットＳ１ｐを左右方向に２列、各列上下方向に５個ずつ有する表側のシートとしての透明プラスチック成形フィルムＳ１と、この錠剤Ｋの名称、内容量、製造元などが印刷され、透明プラスチック成形フィルムＳ１の裏面側に接着されて各ポケットＳ１ｐを封止する裏側のシートとしてのアルミシートＳ２とからなり、透明プラスチック成形フィルムＳ１の１０個のポケットＳ１ｐに錠剤Ｋを収容され、この透明プラスチック成形フィルムＳ１の裏面にアルミシートＳ２が加熱接着されて、１０錠の錠剤Ｋが封入されるものとする。
【００６４】
この多目的スリーブＳ２では、裏面部２の各取出部２０は次のように具体化される。なお、ここで裏面部２の各取出部２０は、ＰＴＰシートＳのポケットＳ１ｐが左右方向に２列、各列上下方向に５個ずつ有するのに合わせて、左右方向に２列、各列上下方向に５個ずつ、合計１０個設けられる。
【００６５】
裏面部２の各取出部２０は、裏面部２の左右方向内側から外側に向けて凸の略Ｕ字形に、表面部１の各開口部１０側から押される押圧力に抗する複数の切り込み２１０と止め（繋ぎ部分）２１１とからなり、裏面部２でこの複数の切り込み２１０と止め２１１に沿って切り取り可能な破断線（ミシン目線）２１を形成されて、この破断線２１内に破断部２０として形成される。
【００６６】
この場合、破断線２１は、ＰＴＰシートＳの各ポケットＳ１ｐを押す押圧力に対して、複数の止め２１１の全部又は多くが切断されず残置可能に所定の長さに形成されて、破断部２０は押圧力により全体的に押し開き不能又は困難に形成される。この破断線２１の上下の両端部は切り込み２１０になっている。なお、この場合の押圧力は既述のとおりである（段落００３０参照）。
【００６７】
また、この場合、各取出部２０は、破断部２０の縁部の一部２０３、この場合、各破断線２１の上下の両端部間の縁部に隣接してこの縁部に少なくとも指先が掛かる程度の切欠部２１４とともに付加切断部２１５が形成される。
【００６８】
切欠部２１４は、左右の各破断線２１の両端部間の縁部上半部間に横長の略長方形状に切り欠き形成されて、左右の各取出部２０間で連通して形成される。この場合、切欠部２１４は、左右の各切欠縁部２１４ａが上下方向に直線状に延びる線形に、上の切欠縁部２１４ｂが左右方向に直線状に延びる線形に、下の切欠縁部２１４ｃが下方に向けて凸の弧状に、それぞれ形成されて、全体として概ね長方形を呈する。
【００６９】
付加切断部２１５は、左右の各破断線２１の両端部間の縁部下半部間に横長の略長方形状に形成されて、左右の各取出部２０間に連続して形成される。この場合、付加切断部２１５は、左右の各縁部、すなわち、左右の各破断線２１の両端部間の各縁部下半部に付加切断線（ミシン目線）２１５ａが上下方向に直線状に延びる線形に、下の縁部、すなわち、左右の各破断線２１の下側の端部間に付加切断線（ミシン目線）２１５ｂが直線状に延びる線形に、それぞれ形成され、上の縁部が切欠部２１４の下の切欠縁部２１４ｃで、下方向に向けて凸の弧状に形成されて、全体として概ね長方形を呈する。この付加切断部２１５の左右の各付加切断線２１５ａの上端部は切り込み２１５０である。
【００７０】
かくして各取出部２０をなす破断部２０は、縁部の一部２０３が切欠部２１４の線形の切欠縁部２１４ａ及び破断部２０と付加切断部２１５との境界にさらに形成された付加切断線２１５ａにより、縁部の残部２０４が略Ｕ字形の破断線２１により取り囲まれてなる。
【００７１】
なお、各破断部２０には、第１の実施の形態と同様に、医薬品の服用指導・確認のための記入欄として、円形の線とこの円形の線内で右上から左下に延びる斜線からなる日付記入欄６が印刷により付される（図１０参照）。
【００７２】
この多目的スリーブＡ２（ブランクシートＢ）を組み立て、ＰＴＰシートＳに装着する手順は、第１の実施の形態と同様である（図５参照）。図１２にこの多目的スリーブＡ２のＰＴＰシートＳに装着後の状態を示している。
【００７３】
図１３にＰТＰシートＳに装着したこの多目的スリーブＡ２の使用例を示している。なお、この多目的スリーブＡ２の使用の前に、裏面部２の各破断部（各取出部）２０の各日付記入欄６に、服用日を記入しておくことは、第１の実施の形態と同様である。
【００７４】
例えば、服用１回目の場合、図１３（１）に示すように、裏面部２の服用１回目の日付の入った破断部２０を確認した後、図１３（２）−（４）に示すように、まず、裏面部２の最上部の付加切断部２１５を付加切断線２１５ａに沿って切り開く。この場合、各破断部２０の各破断線２１間の縁部に沿って切欠部２１４及び付加破断部２１５が形成され、切欠部２１４の下の付加切断部２１５の上の縁部が下方に向けて凸の弧状に形成されて、この上の縁部に例えば人差し指などの指先が掛けやすくなっているので、この上の縁部に人差し指を掛けて親指とともにつまみ、付加切断部２１５を下に向けて切り起こす。このようにすると、左右の各付加切断線２１５ａの上端部が切り込み２１５０（図１１参照）になっていることで切り初めがスムーズで、各付加切断線２１５ａが上端部から連続的に切断されて、付加切断部２１５を１アクションで容易に切り開くことができる。そして、この付加切断部２１５を下の付加切断線２１５ｂから切り取ればよい。なお、この付加切断部２１５は切り起こすだけで、切り取らなくてもよい。このようにして付加切断部２１５が切り開かれると、付加切断部２１５両側の左右の各破断部２０が付加切断部２１５から切り離され、切欠部２１４が下方に拡張される。
【００７５】
続いて、図１３（５）、（６）に示すように、裏面部２の最上部右側の破断部２０を破断線２１に沿って切り開く。この場合、破断部２０の破断線２１の両端部間の縁部（縁部の一部２０３）に隣接して切欠部２１４が形成され、この縁部（縁部の一部２０３）から付加切断部２１５が切り離されて、この縁部（縁部の一部２０３）に例えば親指などの指先が掛けやすくなっているので、この縁部（縁部の一部２０３）に親指を掛けて人差し指とともにつまみ、破断部２０を引き起こしめくるようにして、切り取ればよい。このようにすると、破断線２１の両端部が切り込み２１０（図１１参照）になっていることで切り初めがスムーズで、破断線２１が両端から連続的に切断されて、付加切断部２１５を切断する１アクションに続く破断部２０を切断する２アクションで容易に切り開くことができる。このようにして破断部２０が取り開かれて錠剤の取出部２０として開口され、そこから、ＰТＰシートＳの裏面のアルミシートＳ２が露出される。
【００７６】
そして、図１３（７）に示すように、多目的スリーブＡ２の表面部１からＰＴＰシートＳの透明プラスチック成形フィルムＳ１のポケットＳ１ｐ、この場合、最上部の左側のポケットＳ１ｐの上から錠剤Ｋを押すことにより、図１３（８）に示すように、その錠剤Ｋの位置で裏面のアルミシートＳ２が破れて、錠剤Ｋが押し出される。このようにしてＰТＰシートＳから錠剤Ｋが取り出され、錠剤Ｋを服用することができる。なお、服用日の日付が記入された取出部２０が切り開かれたことで、これが、服用日に錠剤Ｋが取り出されたことの履歴となり、これにより、服用日に錠剤Ｋを服用済みであることを確認することができる。
【００７７】
服用２回目以降の場合も同様である。
【００７８】
このようにしても第１の実施の形態と同様の作用効果を奏する上、特に第２の実施の形態では、裏面部２の付加切断部２１５、破断部２０を２アクションで切り開き、表面部１からＰТＰシートＳのポケットＳ１ｐを押す合計３アクションで、ＰТＰシートＳから錠剤Ｋを取り出すようにしたことで、第１の実施の形態に比べて、錠剤Ｋの保護とともに子どもによる医薬品の誤飲防止をより強化することができる。
【００７９】
図１４、図１５に第３の実施の形態を示している。図１４に示すように、この多目的スリーブＡ３は、第１、第２の実施の形態と同様に、複数の錠剤、カプセル錠を含む複数の薬剤Ｋを個別に収容する複数のポケットＳ１ｐを有する表側のシートＳ１と表側のシートＳ１の裏面に接着され、表側のシートＳ１の各ポケットＳ１ｐを封止する裏側のシートＳ２とからなり、複数の薬剤Ｋを封入されたＰＴＰシートＳに装着され、ＰТＰシートＳに封入された複数の薬剤Ｋの保管管理、服用管理に多目的に用いるもので、ＰＴＰシートＳの表側のシートＳ１を覆い、表側のシートＳ１の各ポケットＳ１ｐを挿通可能に複数の開口部１０を有する表面部１と、ＰＴＰシートＳの裏側のシートＳ２を覆い、表側のシートＳ１の各ポケットＳ１ｐに対応して裏側のシートＳ２から押し出される薬剤Ｋを取り出し可能に複数の取出部７０を有する裏面部２とを備え、全体として、少なくとも一端にＰＴＰシートＳの挿入口４を有する扁平のスリーブ状に形成される。
【００８０】
そして、この多目的スリーブＡ３においては、特に、裏面部２の各取出部７０は、表面部１の各開口部１０側から押される押圧力に抗する複数の切り込み７１０と止め７１１とからなり、裏面部２で複数の切り込み７１０と止め７１１に沿って切り取り可能な破断線７１により取り囲み形成される破断部７１２と、破断部７１２に隣接して切り欠き形成される切欠部７１３とにより構成される。
【００８１】
また、この多目的スリーブＡ３でも、破断線７１は、ＰＴＰシートＳの各ポケットＳ１ｐを押す押圧力に対して、複数の止め７１１の全部又は多くが切断されず残置可能に形成されて、破断部７０は押圧力により全体的に押し開き不能又は困難に構成される。
【００８２】
さらに、この多目的スリーブＡ３でも、破断部７０に医薬品の服用指導・確認のための記入欄８を有する。
【００８３】
このようにしてＰＴＰシートＳはこの多目的スリーブＡ３の挿入口４から表面部１と裏面部２との間に挿入され、ＰＴＰシートＳの各ポケットＳ１ｐが表面部１の各開口部１０から突出されて、ＰＴＰシートＳに装着される。そして、裏面部２の破断部７０を切り開くことによって表面部１側からＰＴＰシートＳの各ポケットＳ１ｐを薬剤Ｋとともに押し込み可能としてある。
【００８４】
この多目的スリーブＡ３は、基本的に、第１の実施の形態のものと共通の構成を有し、裏面部２の各取出部７０が破断部７１２と切欠部７１３とからなる点で、第１の実施の形態と異なる。すなわち、第１の実施の形態では、図２に示すように、裏面部２の各取出部２０は、表面部１の各開口部１０側から押される押圧力に抗する複数の切り込み２１０と止め２１１とからなり、裏面部２で複数の切り込み２１０と止め２１１に沿って切り取り可能な破断線２１により取り囲み形成されて破断部２０として構成されるものとした。これに対して、この実施の形態では、図１４に示すように、裏面部２の各取出部７０は、表面部１の各開口部１０側から押される押圧力に抗する複数の切り込み７１０と止め７１１とからなり、裏面部２で複数の切り込み７１０と止め７１１に沿って切り取り可能な破断線７１により取り囲み形成される破断部７１２と、破断部７１２に隣接して切り欠き形成される切欠部７１３とにより構成されるものとした。
【００８５】
以下、この多目的スリーブＡ３の説明では、第１の実施の形態と共通の構成は、第１の実施の形態と同様の符号を付すことによりその重複した説明を省略し、第１の実施の形態と異なる構成については、新たな符号を付して説明を追加することとする。
【００８６】
なお、第３の実施の形態においても、ＰТＰシートＳは、薬剤Ｋとして円形の錠剤（以下のこの実施の形態の説明において、錠剤Ｋという。）を１錠ずつ収容するための円形のポケットＳ１ｐを左右方向に２列、各列上下方向に５個ずつ有する表側のシートＳ１としての透明プラスチック成形フィルム（以下のこの実施の形態の説明において、透明プラスチック成形フィルムＳ１という。）と、この錠剤Ｋの名称、内容量、製造元などが印刷され、透明プラスチック成形フィルムＳ１の裏面側に接着されて各ポケットＳ１ｐを封止する裏側のシート２としてのアルミシート（以下のこの実施の形態の説明において、アルミシートＳ２という。）とからなり、透明プラスチック成形フィルムＳ１の１０個のポケットＳ１ｐに錠剤Ｋが収容され、この透明プラスチック成形フィルムＳ１の裏面にアルミシートＳ２が加熱接着されて、１０錠の錠剤Ｋが封入されるものとする。
【００８７】
この多目的スリーブＡ３では、裏面部２の各取出部７０は次のように具体化される。なお、ここで裏面部２の各取出部７０は、ＰＴＰシートＳのポケットＳ１ｐが左右方向に２列、各列上下方向に５個ずつ有するのに合わせて、左右方向に２列、各列上下方向に５個ずつ、合計１０個設けられる。
【００８８】
図１４、図１５に示すように、裏面部２の各取出部７０において、破断部７１２は、裏面部２の左右方向右側から左側に向けて凸の略半円形に、表面部１の各開口部１０側から押される押圧力に抗する複数の切り込み７１０と止め７１１とからなり、裏面部２でこの複数の切り込み７１０と止め７１１に沿って切り取り可能な破断線（ミシン目線）７１を形成されて、この破断線７１内に破断部７１２として形成される。
【００８９】
この場合、各破断線７１は、ＰＴＰシートＳの各ポケットＳ１ｐを押す押圧力に対して、複数の止め７１１の全部又は多くが切断されず残置可能に所定の長さに形成されて、各破断部７０は押圧力により全体的に押し開き不能又は困難に形成される。また、各破断線７１の上下の両端部は切り込み７１０になっている。
なお、この場合の押圧力は既述のとおりである（段落００３０参照）。
また、この場合は、破断部７１２が取出部７０の半分（半円部分）になっていて面積が小さく、破断線７１はその分だけこの押圧力に対して抗する力が低下して、少し強めに押圧力を加えることで、破断線７１の止め７１１は切断されるものがあれば、切断されず残置するものもあり、破断部７１２は略半開の状態に切り開き可能になっている。
【００９０】
また、裏面部２の各取出部７０において、切欠部７１３は、破断部７１２の縁部の一部７０１、この場合、各破断線７１の上下両端部間の縁部に隣接してこの縁部に少なくとも指先が掛かる程度の大きさに形成される。この場合、切欠部７１３は、左右の各破断線７１の両端部間の縁部にこの縁部を直径線とする略半円形に形成される。破断線７１と切欠部７１３の縁部全体で略円形になっている。
【００９１】
かくして各取出部７０において破断部７１２は、縁部の一部７０１が切欠部７１３の線形の切欠縁部７１３ａにより、縁部の残部７０２が略半円形の破断線７１により取り囲まれてなる。
【００９２】
なお、各破断部７１２には、第１、第２の実施の形態と同様に、医薬品の服用指導・確認のための記入欄８として、円形の線とこの円形の線内で右上から左下に延びる斜線からなる日付記入欄（以下のこの実施の形態の説明において、日付記入欄８という。）が印刷により付される。
【００９３】
この多目的スリーブＡ３はかかる構成からなり、病院その他の医療機関の薬局や保険調剤薬局でＰТＰシートＳ包装の錠剤Ｋとともに患者に組み立て前のシートの状態（つまり、ブランクシートＢ）又は組み立て後のスリーブの状態（つまり、多目的スリーブＡ３）で、提供される。なお、この多目的スリーブＡ３を組み立て、ＰТＰシートＳに装着する手順は、第１の実施の形態と同様である（図４、図５参照）。図１６にこの多目的スリーブＡ３のＰＴＰシートＳに装着後の状態を示している。
【００９４】
図１７にＰТＰシートＳに装着した多目的スリーブＡ３の使用例を示している。なお、この多目的スリーブＡ３の使用の前に、裏面部２の各破断部７１２の日付記入欄８にそれぞれ、服用日を記入しておく。この場合、例えば、最上部の左側の破断部７１２の日付記入欄８に服用１回目の日付を、最上部の右側の破断部７１２の日付記入欄８に服用２回目の日付を記入し、その下の各破断部７１２の各日付記入欄８に服用３回目以降の日付を順次記入していく。
【００９５】
そしてまず、服用１回目の場合、裏面部２の服用１回目の日付の入った破断部７１２を確認した後、図１７（１）に示すように、多目的スリーブＡ３の表面部１からＰＴＰシートＳの透明プラスチック成形フィルムＳ１のポケットＳ１ｐ、この場合、最上部の右側のポケットＳ１ｐの上から錠剤Ｋを通常よりも強く押す。このポケットＳ１ｐ（錠剤Ｋ）の押圧により、図１７（２）に示すように、裏面部２の対応する取出部７０の内側で、裏面のアルミシートＳ２の対応する箇所が破れて、錠剤Ｋが押し出される。
【００９６】
この錠剤Ｋにより裏面部２の破断部７１２が押圧されると、この場合、既述のとおり、破断部７１２が取出部７０の半分（半円部分）になっていて面積が小さく、破断線７１はその分だけこの押圧力に対して抗する力が低下していることから、この強めの押圧力により破断部７１２は止め７１１の一部が切断されず残置されて略半開の状態で切り開かれる。これにより、この破断部７１２の内側でアルミシートＳ２を破って押し出された錠剤Ｋはこの破断部７１２から落下することなしにこの破断部７１２に保持される。
【００９７】
このようにこの多目的スリーブＡ３では、ＰТＰシートＳから押し出された錠剤Ｋは多目的スリーブＡ３の破断部７１２、つまり取出部７０から飛び出しにくくなっている。このため、ＰТＰシートＳから錠剤Ｋを取り出す際は、ＰТＰシートＳから錠剤Ｋがポロっと落ちることがなく、落下した錠剤Ｋを子どもが拾って誤って飲んでしまうといったリスクを回避することができる。また、錠剤Ｋを服用する者が手が不自由であっても、ＰТＰシートＳから錠剤Ｋを落とすことなく取り出すことができ、錠剤Ｋを安心して服用することができる。
【００９８】
そして、服用日の日付が記入された取出部７０が切り開かれたことで、これが、服用日に錠剤Ｋが取り出されたことの履歴となり、これにより、服用日に錠剤Ｋを服用済みであることを確認することができる。
【００９９】
服用２回目以降の場合も同様である。
【０１００】
以上説明したように、この多目的スリーブＡ３では、裏面部２の各取出部７０は略半円形の破断部７１２と略半円形の切欠部７１３とからなる。そして、破断部７１２は表面部１の各開口部１０側から押される押圧力に抗する複数の切り込み７１０と止め７１１とからなる破断線７１により取り囲み形成される。このようにしてＰＴＰシートＳがこの多目的スリーブＡ３の挿入口４から表面部１と裏面部２との間に挿入され、ＰＴＰシートＳの各ポケットＳ１ｐが表面部１の各開口部１０から突出されて、ＰＴＰシートＳに装着される。そして、表面部１側から通常よりも少し強い押圧力でＰＴＰシートＳの各ポケットＳ１ｐを錠剤Ｋとともに押し込むことにより、裏面部２の破断部７１２を複数の止め７１１の一部が切断されず残置されて切り開き可能に、この場合は、半開可能にしたので、表面部１においてＰＴＰシートＳ表面のポケットＳ１ｐの上から少し強めに錠剤Ｋを押すことにより、ＰТＰシートＳ裏面から押し出された錠剤Ｋを半開の破断部７０で保持することができる。したがって、ＰТＰシートＳから錠剤Ｋを取り出す際に、ＰТＰシートＳから錠剤Ｋがポロっと落ちることがなく、落下した錠剤Ｋを子どもが拾って誤って飲んでしまうといったことがない。また、錠剤Ｋを服用する者が手が不自由であっても、ＰТＰシートＳから錠剤Ｋを落とすことなく取り出すことができ、安心して服用することができる。
【０１０１】
なお、ここでは、多目的スリーブＡ３に特有の効果について説明した。そもそも、この多目的スリーブＡ３においても、裏面部２の破断部７１２を切り開くことによって表面部１側からＰＴＰシートＳの各ポケットＳ１ｐを錠剤Ｋとともに押し込み可能としてあるので、ＰТＰシートＳから錠剤Ｋを取り出す際は、裏面部２の破断部７１２を切り開く一工程を経なければ、つまり、この一手間がなければ、錠剤Ｋを取り出すことができない。したがって、子供によるＰТＰシートＳ内の錠剤Ｋの誤飲を確実に防止することができるなど、第１の実施の形態と同様の作用効果を奏することができることは言うまでもない。
【０１０２】
なお、第１、第２、第３の各実施の形態の各多目的スリーブＡ１、Ａ２、Ａ３はそれぞれ、次のように変更可能である。
【０１０３】
各多目的スリーブＡ１、Ａ２、Ａ３はそれぞれ、上端（一端）にＰＴＰシートの挿入口４を有するものとし、下端もまた開口されているが、下端は接着などして閉塞されていてもよい。また、この挿入口４は上端に代えて、左側部又は右側部又は左右両側部に設けられてもよい。このようにしても上記各実施の形態と同様の作用効果を奏することができる。
【０１０４】
各多目的スリーブＡ１、Ａ２、Ａ３はそれぞれ、ブランクシートＢからなり、このブランクシートＢは板紙その他の比較的厚さがあり直立性を有する紙材により形成されるものとしたが、合成樹脂製のシートにより形成されてもよい。このようにしても上記各実施の形態と同様の作用効果を奏することができる。
【０１０５】
各多目的スリーブＡ１、Ａ２、Ａ３はそれぞれ、表面部１又は裏面部２の一方の糊接着部１２又は２２、ここでは、裏面部２の糊接着部２２に両面テープ２５が貼着されて、組み立て後の表面部１、裏面部２を簡易に接着可能にしているが、各糊接着部１２、２２は一般的な接着剤で接着されてもよい。このようにしても上記各実施の形態と同様の作用効果を奏することができる。
【符号の説明】
【０１０６】
Ｓ  ＰＴＰシート
Ｓ１  表側のシート
Ｓ１ｐ  ポケット
Ｓ２  裏側のシート
Ｋ  薬剤（錠剤）
Ａ１、Ａ２、Ａ３  ＰＴＰシート用多目的スリーブ
Ｂ  ブランクシート
１  表面部
１０  開口部
１２  糊接着部
１３  被覆部
１３０  溝
１４  折り目
２  裏面部
２０  取出部（破断部）
２０１  縁部の一部
２０２  縁部の残部
２０３  縁部の一部
２０４  縁部の残部
２１  破断線
２１０  切り込み
２１１  止め（繋ぎ部分）
２１３  切欠部
２１３ａ  切欠縁部
２１４  切欠部
２１４ａ  切欠縁部
２１４ｂ  切欠縁部
２１４ｃ  切欠縁部
２１５  付加切断部
２１５ａ  付加切断線（ミシン目線）
２１５ｂ  付加切断線（ミシン目線）
２１５０  切り込み
２２  糊接着部
２３  被覆部
２３０  溝
２４  折り目
２５  両面テープ
３  折り目
４  挿入口
５  孔
５１  孔
５２  孔
Ｒ  リング
Ｆ  フック
６  記入欄（日付記入欄）
７０  取出部（破断部）
７０１  縁部の一部
７０２  縁部の残部
７１  破断線
７１０  切り込み
７１１  止め（繋ぎ部分）
７１２  破断部
７１３  切欠部
７１３ａ  切欠縁部
８  記入欄（日付記入欄）
【図１】
0003231643.tif 000003
【図２】
0003231643.tif 000004
【図３】
0003231643.tif 000005
【図４】
0003231643.tif 000006
【図５】
0003231643.tif 000007
【図６】
0003231643.tif 000008
【図７】
0003231643.tif 000009
【図８】
0003231643.tif 000010
【図９】
0003231643.tif 000011
【図１０】
0003231643.tif 000012
【図１１】
0003231643.tif 000013
【図１２】
0003231643.tif 000014
【図１３】
0003231643.tif 000015
【図１４】
0003231643.tif 000016
【図１５】
0003231643.tif 000017
【図１６】
0003231643.tif 000018
【図１７】
0003231643.tif 000019